(57)【要約】【課題】新しいゲートウェイに対するポリシー更新が要求される、３ＧＰＰベースのネットワークと非３ＧＰＰネットワークとの間のハンドオーバーを提供する。【解決手段】ワイヤレス送受信ユニット（ＷＴＲＵ）を動作させる方法、及び、無線リンク制御（ＲＬＣ）／メディアアクセス制御（ＭＡＣ）ヘッダを受信するように構成されたＷＴＲＵ。ヘッダが短縮伝送時間間隔（ＲＴＴＩ）動作のために符合化される。ヘッダは、ＲＬＣ／ＭＡＣヘッダに関連するＲＬＣ／ＭＡＣペイロードの１６ビット巡回冗長検査（ＣＲＣ）を含む。【選択図】図１０
2015181316.tif 000002
【特許請求の範囲】
【請求項１】
無線送受信装置（ＷＴＲＵ）のハンドオーバー動作の間に第３世代パートナーシッププロジェクト（３ＧＰＰ）アクセスネットワークから非３ＧＰＰアクセスネットワークへポリシー更新を実施するように構成されたパケットデータネットワークゲートウェイ（ＰＤＮ  ＧＷ）において、
ハンドオーバーを指示するプロキシバインディング更新メッセージを進化型パケットデータゲートウェイ（ｅＰＤＧ）から受信するように構成されたトランシーバを備え、
該トランシーバがさらに、前記プロキシバインディング更新メッセージを受信することに応答して、ポリシー更新メッセージをポリシーおよび課金規則機能（ＰＣＲＦ）へ送信するように構成され、
該トランシーバがさらに、該ＰＣＲＦからポリシー更新確認メッセージを受信し、および、前記ｅＰＤＧへプロキシバインディング肯定応答メッセージを送信するように構成され、並びに、
該トランシーバがさらに、前記３ＧＰＰアクセスネットワーク内で前記ＰＤＮ  ＧＷによって利用された資源の解放を要求するメッセージを、サービス提供ゲートウェイ（ＧＷ）に送信するように構成され、該トランシーバは、前記ポリシー更新確認メッセージが受信され、プロキシモバイルインターネットプロトコルバージョン６（ＰＭＩＰｖ６）トンネルが前記ｅＰＤＧと前記ＰＤＮ  ＧＷとの間で確立され、および、非３ＧＰＰ  ＩＰアクセスが前記ＷＴＲＵと前記ｅＰＤＧの間のＩＰｓｅｃトンネルを通じておよび前記ｅＰＤＧと前記ＰＤＮ  ＧＷの間の前記ＰＭＩＰｖ６トンネルを通じて開始された後で、前記資源の解放を要求する前記メッセージを送信するように構成される、
パケットデータネットワークゲートウェイ。
【請求項２】
前記３ＧＰＰアクセスネットワークが進化型地上無線アクセスネットワーク（Ｅ−ＵＴＲＡＮ）である、請求項１に記載のパケットデータネットワークゲートウェイ。
【請求項３】
前記プロキシバインディング肯定応答メッセージを用いて前記ｅＰＤＧとの前記ＰＭＩＰｖ６トンネルを確立する、請求項１に記載のパケットデータネットワークゲートウェイ。
【発明の詳細な説明】
【技術分野】
【０００１】
本願はワイヤレス通信に関する。より詳細には、本願は、相異なるワイヤレス通信アーキテクチャ間を移動するときの資源管理に関する。
【背景技術】
【０００２】
モバイル通信システムでは、モバイル装置の性質は、ワイヤレス送信／受信ユニット（ＷＴＲＵ）がエリアを通じて移動するとき、ＷＴＲＵが、それを介して接続することのできる複数のゲートウェイに直面することがあるという状況を生み出す。こうした複数のゲートウェイは、相異なる通信アーキテクチャを使用して装置を接続し、インターネットプロトコル（ＩＰ）アクセスを行うことがある。
【０００３】
あるゲートウェイは、ＷＴＲＵユーザが加入するサービスの制御下にあることがある。別のゲートウェイは、ユーザを認識していないシステムに属することがあるが、それでも、ユーザのＷＴＲＵが接続を確立することを許可することができる。
【０００４】
ユーザがこうしたゲートウェイのカバレッジエリア全体にわたって移動するとき、ＷＴＲＵが現在の通信アーキテクチャから、トラステッドネットワークや、より洗練されたＷＴＲＵの機能を活用することのできるネットワークなどの別のアーキテクチャに切り替わるほうが良いことがある。このことが生じるとき、ハンドオーバーが行われ、元のネットワークアーキテクチャから新しく検出されたアーキテクチャにアクセスが移動される。同様に、トラステッドネットワークアーキテクチャの信号が弱くなったとき、ＷＴＲＵは、異なるネットワークアーキテクチャにハンドオーバーすることを決定することができる。
【０００５】
従来のハンドオフ方法では、ＷＴＲＵは、新しいネットワークアーキテクチャとの接続性を確立することができ、元のネットワークとの接続を突然切断する。ネットワークアーキテクチャ間のハンドオーバーが行われるときに、系統的に元のネットワーク接続を終了させることができるなら有益なはずである。
【０００６】
ｔｈｉｒｄ  ｇｅｎｅｒａｔｉｏｎ  ｐａｒｔｎｅｒｓｈｉｐ  ｐｒｏｊｅｃｔ（３ＧＰＰ）アーキテクチャと非３ＧＰＰアーキテクチャとの間の関係を示すネットワークアーキテクチャが、図１に示されている。ネットワークアーキテクチャ１００が、破線１０１で分けられた３ＧＰＰシステムアーキテクチャ及び非３ＧＰＰシステムアーキテクチャを含む。線１０１の上側は３ＧＰＰ準拠アーキテクチャであり、破線１０１の接続の下側は非３ＧＰＰアーキテクチャである。ＷＴＲＵ１０３は、ＷＴＲＵ１０３が接続されるアーキテクチャと、その３ＧＰＰネットワークに対するそのアーキテクチャの関係とに応じて、接続Ｓ２ａ  １０５、Ｓ２ｂ  １０７、またはＳ２ｃ  １０９を通じて３ＧＰＰアーキテクチャへのアクセスを得ることができる。非３ＧＰＰアーキテクチャがトラステッド非３ＧＰＰ  ＩＰ接続１１１である場合、パケットデータネットワークゲートウェイ１１３への接続が、Ｓ２ａ  １０５を通じて直接的に行われる。Ｓ２ａ  １０５は、トラステッド非３ＧＰＰ  ＩＰアクセスとパケットデータネットワーク（ＰＤＮ）ゲートウェイ（ＧＷ）１１３との間の、関連する制御及びモビリティサポートをユーザプレーンに提供する。
【０００７】
非３ＧＰＰアーキテクチャが非トラステッド１１５であるとき、進化型パケットデータゲートウェイ（evolved Packet Data Gateway）（ｅＰＤＧ）１１７を通じて接続が行われる。ｅＰＤＧ１１７とＰＤＮ  ＧＷ１１３との間の接続は、Ｓ２ｂ  １０９接続を通じて行われる。Ｓ２ｂ  １０９は、進化型パケットデータゲートウェイ（ｅＰＤＧ１１７）とＰＤＮ  ＧＷ１１３との間の、関連する制御及びモビリティサポートをユーザプレーンに提供する。
【０００８】
ＷＴＲＵ１０３がトラステッドまたは非トラステッドの非３ＧＰＰまたは３ＧＰＰに接続される間、Ｓ２ｃ  １０７を通じて、ＷＴＲＵ１０３とＰＤＮ  ＧＷ１１３との間の接続を設けることができる。Ｓ２ｃ  １０７は、ワイヤレス送信／受信ユニット（ＷＴＲＵ）１０３とＰＤＮ  ＧＷ１１３との間の、関連する制御及びモビリティサポートをユーザプレーンに提供する。この基準点は、トラステッドおよび／または非トラステッドの非３ＧＰＰアクセスおよび／または３ＧＰＰアクセスを介して実装される。
【０００９】
３ＧＰＰシステム内のＰＤＮ  ＧＷ１１３とサービス提供ゲートウェイ１２１との間に、Ｓ５接続１１９が存在する。Ｓ５  １１９は、サービス提供ＧＷとＰＤＮ  ＧＷとの間のユーザプレーントンネリング及びトンネル管理を実現する。これは、モビリティによるサービス提供ＧＷ再配置の目的で、サービス提供ＧＷが、必要なＰＤＮ接続性のために、共に配置されないＰＤＮ  ＧＷに接続する必要がある場合に使用される。
【００１０】
モビリティ管理エンティティ（ＭＭＥ）１２５と家庭加入者サーバ（home subscriber server）（ＨＳＳ）１２７との間で、認証及び許可のためにＳ６ａインターフェース１２３が定義される。
【００１１】
Ｓ６ｃ  １２９で定義される地点は、家庭公衆陸上移動網（home public land mobile network）（ＨＰＬＭＮ）内のＰＤＮ  ＧＷ１１３と、必要な場合にモビリティ関連の認証を行うための３ＧＰＰ認証、許可、及び、アカウンティング（ＡＡＡ）サーバ１３１との間の基準点である。この基準点を使用して、モビリティパラメータを取り出し、モビリティパラメータの格納を要求することもできる。
【００１２】
基準点Ｓ６ｄ（図示せず）が、訪問先公衆陸上移動網（visited public land mobile network）（ＶＰＬＭＮ）内のサービス提供ゲートウェイと、必要な場合にモビリティ関連の認証を行うための３ＧＰＰ  ＡＡＡプロキシとの間にある。この基準点を使用して、モビリティパラメータを検索し、モビリティパラメータの格納を要求することもできる。
【００１３】
接続Ｓ７  １３３が、ポリシー及び課金規則機能（policy and charging rules function）（ＰＣＲＦ）１３５からポリシー及び課金実施地点（policy and charging enforcement point）（ＰＣＥＦ）（図示せず）へのサービス品質（ＱｏＳ）ポリシー及び課金規則の転送を実現する。
【００１４】
ＳＧｉ１１７は、ＰＤＮゲートウェイ１１３とパケットデータネットワーク１３９との間の基準点である。パケットデータネットワーク１３９は、例えばＩＰマルチメディアサブシステム（ＩＭＳ）サービスを提供するための、オペレータ外部公衆または専用パケットデータネットワーク（operator external public or private packet data network）、あるいはイントラオペレータパケットデータネットワークであってよい。この基準点は、任意の３ＧＰＰ及び非３ＧＰＰアクセスシステムをサポートする。
【００１５】
Ｗａ*１４１が、非トラステッド非３ＧＰＰ  ＩＰアクセスを３ＧＰＰ  ＡＡＡサーバ／プロキシ１３１と接続し、アクセス認証、許可、及び、課金関連情報をセキュアに転送する。
【００１６】
Ｔａ*１４３が、トラステッド非３ＧＰＰ  ＩＰアクセス１１１を３ＧＰＰ  ＡＡＡサーバ／プロキシ１３１と接続し、アクセス認証、許可、モビリティパラメータ、及び、課金関連情報をセキュアに転送する。
【００１７】
Ｗｍ*１４５基準点が、３ＧＰＰ  ＡＡＡサーバ／プロキシ１３１とｅＰＤＧ１１７との間に配置され、ＡＡＡシグナリング（モビリティパラメータ、トンネル認証、及び、許可データの転送）のために使用される。
【００１８】
Ｗｎ*１４７は、非トラステッド非３ＧＰＰ  ＩＰアクセス１１５とｅＰＤＧ１１７との間の基準点である。開始されたトンネルに関するこのインターフェース上のトラフィックを、強制的にｅＰＤＧ１１７に押しやらなければならない。
【００１９】
Ｗｘ*１４９は、３ＧＰＰ  ＡＡＡサーバ１３１とＨＳＳ１２７との間に配置された基準点であり、認証データの転送のために使用される。
【００２０】
ＰＭＩＰｖ６を使用する非トラステッド非３ＧＰＰ  ＩＰアクセスからＥ−ＵＴＲＡＮ  ３ＧＰＰネットワークへのハンドオーバープロセスを示す図が、図２に示されている。ＷＴＲＵ２０１は当初、非トラステッド非３ＧＰＰアクセスに接続される。ＷＴＲＵ２０１とｅＰＤＧ２０５との間にＩＰｓｅｃトンネル２０３があり、ｅＰＤＧとＰＤＮ  ＧＷ２０９との間にＰＭＩＰｖ６トンネル２０７がある。ＷＴＲＵ２０１が移動するとき、ＷＴＲＵ２０１は、非トラステッド非３ＧＰＰ  ＩＰアクセスから、Ｅ−ＵＴＲＡＮなどの３ＧＰＰアーキテクチャに切り替わることができる。ＷＴＲＵ２０１はＥ−ＵＴＲＡＮネットワークに接続される（２１１）。次に、ＷＴＲＵ２０１は、モビリティ管理エンティティ（ＭＭＥ）２１３と共にアクセス許可を実施する。ＭＭＥ２１３は、ＷＴＲＵ２０１の認証を求めて、家庭加入者サーバ（ＨＳＳ）２１５と連絡を取る。認証手続きの一部として、使用されるパケットデータネットワークゲートウェイ（ＰＤＮ  ＧＷ）２０９が、ＭＭＥ２１３に搬送される。ＭＭＥ２１３は、位置更新手続き及びＨＳＳ２１５からの加入者データ検索２１４を実施する。ＭＭＥ２１３がＷＴＲＵ２０１を認証した後、ＭＭＥ２１３は、作成デフォルトベアラ要求メッセージ（create default bearer request message）２１７をサービス提供ゲートウェイ（ＧＷ）２１９に送信する。メッセージ２１７では、ＭＭＥ２１３は、ＷＴＲＵ２０１の識別子（ＮＡＩ）と、使用されるＰＤＮ  ＧＷ２０９とを含む。サービス提供ＧＷ２１９は、プロキシバインディグ更新（ＢＵ）メッセージ２２１をＰＤＮ  ＧＷ２０９に送信し、ＷＴＲＵ２０１に対するデフォルトベアラをセットアップする。プロキシＢＵ２２１は、ＷＴＲＵ２０１の識別子と、ＰＤＮ  ＧＷ２０９にＩＰアドレスを求める要求とを含む。ＰＤＮ  ＧＷ２０９は、サービス提供ＧＷ２１９からのプロキシＢＵメッセージ２２１を処理し、ＷＴＲＵ２０１に関するバインディングキャッシュエントリを更新し、プロキシバインディング肯定応答（proxy binding acknowledgement）２２３で応答する。プロキシバインディング肯定応答（Ａｃｋ）２２３では、ＰＤＮ  ＧＷ２０９は、先にＷＴＲＵ２０１に割り当てられたのと同じＩＰアドレスまたはプレフィックスで応答する。その時点で、ＰＤＮ  ＧＷ２０９とサービス提供ＧＷ２１９との間にＰＭＩＰｖ６トンネル２２５が存在する。サービス提供ＧＷ２１９は、作成デフォルトベアラ応答メッセージ２１７でＭＭＥ２１３に応答する。このメッセージ２１７では、サービス提供ＧＷ２１９は、ＷＴＲＵ２０１のＩＰアドレスを含む。Ｓ１＿Ｕデフォルトベアラ設立手続き（S1_U default bearer establishment procedure）２２７が実施される。この手続きは無線ベアラセットアップ２２８を含む。ハンドオーバー手続き２００の終わりに、Ｅ−ＵＴＲＡＮ無線ベアラ２２７、Ｎｏｄｅ−Ｂとサービス提供ＧＷ２１９との間のＳ１ベアラ、並びに、サービス提供ＧＷ２１９とＰＤＮ  ＧＷ２０９との間のＰＭＩＰｖ６トンネル２２９からなる、ＷＴＲＵ２０１に対するデフォルトベアラが存在する。
【００２１】
図３Ａ及び３Ｂは、図１のインターフェースＳ２ｃを介する、非３ＧＰＰ  ＩＰアクセスから３ＧＰＰアクセスへのハンドオーバー手続きの図である。セッションは、Ｓ２ｃインターフェースを介する、ＤＳＭＩＰｖ６を使用する非トラステッド非３ＧＰＰアクセス３０１で始まる。セッションは、３ＧＰＰアクセス、例えばＥ−ＵＴＲＡＮ３０３にハンドオーバーする。ＷＴＲＵ３０５は、非トラステッド非３ＧＰＰアクセスシステム３０１を使用する。ＷＴＲＵ３０５は、ｅＰＤＧ３０７との間でＩＰｓｅｃ／ＩＫＥｖ２セッションを有し、ＰＤＮ  ＧＷ３０９との間でＤＳＭＩＰｖ６セッションを有する。ＷＴＲＵ３０５は、３ＧＰＰアクセスシステム３０３を発見し、現在使用しているトラステッド非３ＧＰＰ３０１アクセスシステムから、発見した３ＧＰＰアクセスシステム３０２にハンドオーバーすることを決定する。ＷＴＲＵ３０５は接続要求３１３を送信し、接続要求３１３は、３ＧＰＰアクセスシステム３０３により、図示されていない進化型パケットコア（ＥＰＣ）内のＭＭＥ３１１インスタンスにルーティングされる。ＭＭＥ３１１は、ＨＳＳ／３ＧＰＰ許可及び認証（ＡＡＡ）３１５と連絡を取り、ＷＴＲＵ３０５を認証する。認証手続きの一部として、３ＧＰＰアクセスのために使用されるＰＤＮ  ＧＷ３０９のＩＰアドレスが、ＭＭＥ３１１に搬送される。認証に成功した後、ＭＭＥ３１１は、ＨＳＳ３１５と共に位置更新手続きを実施する。ＭＭＥ３１１は、サービス提供ＧＷ３１７を選択し、選択されたＰＤＮ  ＧＷ３０９に作成デフォルトベアラ要求メッセージ３１９を送信する。サービス提供ＧＷ３１７は、ＰＤＮ  ＧＷ３０９とサービス提供ＧＷ３１７との間でＩｎｔｅｒｎｅｔ  Ｅｎｇｉｎｅｅｒｉｎｇ  Ｔａｓｋ  Ｆｏｒｃｅ（ＩＥＴＦ）ベースのＳ５インターフェースを使用するときなどに、プロキシバインディング更新３２１を送信することにより、ＰＤＮ  ＧＷ３０９に対してＰＭＩＰｖ６登録手続きを開始することができる。ＧＰＲＳトンネリングプロトコル（ＧＴＰ）がＳ５に関して使用される場合、サービス提供ＧＷ３０７は、作成ベアラ要求メッセージ（create bearer request message）３０９をＰＤＮ  ＧＷ３０９に送信する。ＩＥＴＦベースのＳ５では、ＰＤＮ  ＧＷ３０９は、プロキシバインディング肯定応答３２７で応答し、そのモビリティバインディングを更新し、それによって実質的に、ＤＳＭＩＰｖ６トンネルが、非３ＧＰＰアクセスネットワークからサービス提供ＧＷ３０７に対するＰＭＩＰｖ６トンネルに切り替わる。プロキシバインディング肯定応答３２７では、ＰＤＮ  ＧＷ３０９は、先にＷＴＲＵ３０５に割り当てられたホームＩＰアドレスまたはプレフィックスを含む。ＧＴＰベースのＳ５では、ＰＤＮ  ＧＷ３０９は、サービス提供ＧＷ３０７に対して作成ベアラ応答メッセージ（create bearer response message）３２９で応答する。作成ベアラ応答３２９は、先にＷＴＲＵ３０５に割り当てられたホームＩＰアドレスまたはプレフィックスを含む。次いでサービス提供ＧＷ３１７が、ＷＴＲＵ３０５のＩＰアドレスを含む作成デフォルトベアラ応答メッセージ（create default bearer response message）３２９をＭＭＥ３１１に返す。このメッセージ３２９はまた、バインディングが成功したという、ＭＭＥ３１１に対する表示としても働く。ＭＭＥ３１１は、３ＧＰＰアクセス３０３を通じて、ＷＴＲＵ３０５に接続受諾メッセージ３３１を送信する。３ＧＰＰアクセスシステム３０３は、無線ベアラセットアップ手続きを開始し、３ＧＰＰアクセスシステムは、接続完了メッセージ３３１で応答する。ＷＴＲＵ３０５は、ＰＤＮ  ＧＷ３０９にバインディング更新３２１を送信して、非トラステッド非３ＧＰＰ  ＩＰアクセス３０１でＷＴＲＵ３０５で作成されたＤＳＭＩＰｖ６バインディング３２５を登録解除することができる。ＷＴＲＵ３０５は、必要ならＩＫＥｖ２メッセージを送信して、ｅＰＤＧ３０７との間のそのシステムアスペクト（ＳＡ）を解体することができる。
【００２２】
Ｓ２ｂインターフェースを介する、３ＧＰＰ  ＩＰアクセスから非トラステッド非３ＧＰＰ  ＩＰアクセスへのハンドオーバープロセス４００が図４に示されている。ハンドオーバーが開始され、ＷＴＲＵ４０１が非３ＧＰＰネットワーク４１１に接続されるとき、ＷＴＲＵは、サービス提供ＧＷ４０３を通じ、ＰＤＮ  ＧＷ４０７に対するＰＭＩＰｖ６トンネル４０５を通じて、３ＧＰＰネットワークに接続される。ＷＴＲＵ４０１の認証が、３ＧＰＰシステム上のＨＳＳ／ＡＡＡ４０９によって行われる。ＷＴＲＵ４０１とｅＰＤＧ４１３との間のＩＫＥｖ２許可及びトンネルセットアップ４１５。プロキシバインディング更新メッセージ４１７がＰＤＮ  ＧＷ４０７に送信される。プロキシバインディング肯定応答メッセージ４１９がｅＰＤＧ４１３に返される。ＩＰｓｅｃトンネルセットアップ及びアドレス構成が実施され（４２１）、ＰＭＩＰｖ６トンネル４２３がｅＰＤＧ４１３とＰＤＮ  ＧＷ４０７との間で確立される。このとき、ＷＴＲＵ４０１とｅＰＤＧ４１３との間のＩＰｓｅｃトンネル４２５、並びに、ｅＰＤＧ４１３とＰＤＮ  ＧＷ４０７との間のＰＭＩＰｖ６トンネル４２７を通じて非３ＧＰＰ  ＩＰアクセスが確立される。
【００２３】
Ｓ２ｃインターフェースを介する、３ＧＰＰ  ＩＰアクセスからトラステッド／非トラステッド非３ＧＰＰ  ＩＰアクセスへのハンドオーバープロセス５００が図５に示されている。ハンドオーバーが開始され、ＷＴＲＵ５０１が非３ＧＰＰネットワーク５１１に接続されるとき、ＷＴＲＵは、サービス提供ＧＷ５０３を通じ、ＰＤＮ  ＧＷ５０７に対するＰＭＩＰｖ６トンネル５０５を通じて、３ＧＰＰネットワークに接続される。ＷＴＲＵ５０１の認証が３ＧＰＰシステム上のＨＳＳ／ＡＡＡ５０９によって行われる。非３ＧＰＰネットワークが非トラステッドであるとき、ＷＴＲＵ５０１とｅＰＤＧ５１３との間のＩＫＥｖ２許可及びトンネルセットアップ５１５。或いは、非３ＧＰＰネットワークがトラステッドネットワークであるとき、ＷＴＲＵ５０１とＰＤＮ  ＧＷ５０７との間でＩＫＥｖ２許可及びトンネルセットアップ５１６を行うこともできる。プロキシバインディング更新メッセージ５１７が、ＰＤＮ  ＧＷ５０７に送信される。プロキシバインディング肯定応答メッセージ５１７が、ｅＰＤＧ５１３に返される。ＩＰｓｅｃトンネルセットアップ及びアドレス構成が実施され（５２１）、ＰＭＩＰｖ６トンネル５２７がＷＴＲＵ５０１とＰＤＮ  ＧＷ５０７との間で確立される。このとき、ＷＴＲＵ５０１とｅＰＤＧ５１３との間のＩＰｓｅｃトンネル５２５、並びに、ＷＴＲＵ５０１とＰＤＮ  ＧＷ５０７との間のＰＭＩＰｖ６トンネル５２７を通じて非３ＧＰＰ  ＩＰアクセスが確立される。
【発明の概要】
【課題を解決するための手段】
【００２４】
新しいゲートウェイに対するポリシー更新が要求される、３ＧＰＰベースのネットワークと非３ＧＰＰネットワークとの間のハンドオーバーのための方法及び装置が開示される。ポリシー更新の確認が、ポリシー及び課金規則機能（ＰＣＲＦ）から３ＧＰＰパケットデータネットワークゲートウェイ（ＰＤＮ  ＧＷ）に送信される。新しいゲートウェイも、３ＧＰＰサービス提供ゲートウェイに対するポリシー更新を確認する。トンネルエンドポイント及び無線資源が、ＰＤＮ  ＧＷと進化型パケットデータゲートウェイ（ｅＰＤＧ）との間で解放され、それによって、ワイヤレス送信／受信ユニット（ＷＴＲＵ）が以前に使用していた資源が解放される。解放肯定応答が、サービス提供ゲートウェイから、ポリシー更新プロセスが完了したことを確認するＰＣＲＦに送信される。３ＧＰＰネットワークと非３ＧＰＰネットワークとの間のハンドオーバーについて本方法を使用することができ、逆も同様である。本方法及び装置をＳ２ｂまたはＳ２ｃインターフェースを介して実施することができる。
【００２５】
例示として与えられ、添付の図面と共に理解されるべきである以下の好ましい実施形態の説明から、本発明のより詳細な理解を得ることができる。
【図面の簡単な説明】
【００２６】
【図１】従来型ネットワークアーキテクチャを示す図である。
【図２】Ｓ２ｂを介する従来型非ローミングシナリオでの、ＰＭＩＰｖ６を用いる非トラステッド非３ＧＰＰ  ＩＰアクセスからＥ−ＵＴＲＡＮへのハンドオーバーを示す図である。
【図３Ａ】Ｓ２ｃを介する従来型非ローミングシナリオでの、ＰＭＩＰｖ６を用いる非トラステッド非３ＧＰＰ  ＩＰアクセスからＥ−ＵＴＲＡＮへのハンドオーバーを示す図である。
【図３Ｂ】Ｓ２ｃを介する従来型非ローミングシナリオでの、ＰＭＩＰｖ６を用いる非トラステッド非３ＧＰＰ  ＩＰアクセスからＥ−ＵＴＲＡＮへのハンドオーバーを示す図である。
【図４】Ｓ２ｂを介する従来型非ローミングシナリオでの、Ｅ−ＵＴＲＡＮからＰＭＩＰｖ６を用いる非トラステッド非３ＧＰＰ  ＩＰアクセスへのハンドオーバーを示す図である。
【図５】非ローミングの場合の、Ｓ２ｃを使用するＥ−ＵＴＲＡＮから非トラステッド非３ＧＰＰ  ＩＰアクセスへのハンドオーバーに対する、提案される拡張を示す図である。
【図６Ａ】非ローミングの場合の、Ｓ２ｂを使用する非トラステッド非３ＧＰＰ  ＩＰアクセスからＥ−ＵＴＲＡＮへのハンドオーバーに対する、提案される拡張を示す図である。
【図６Ｂ】非ローミングの場合の、Ｓ２ｂを使用する非トラステッド非３ＧＰＰ  ＩＰアクセスからＥ−ＵＴＲＡＮへのハンドオーバーに対する、提案される拡張を示す図である。
【図７Ａ】Ｓ２ｃを使用する非ローミングシナリオでの、非トラステッド非３ＧＰＰ  ＩＰアクセスからＰＭＩＰｖ６を用いるＥ−ＵＴＲＡＮへのハンドオーバーに対する、提案される拡張を示す図である。
【図７Ｂ】Ｓ２ｃを使用する非ローミングシナリオでの、非トラステッド非３ＧＰＰ  ＩＰアクセスからＰＭＩＰｖ６を用いるＥ−ＵＴＲＡＮへのハンドオーバーに対する、提案される拡張を示す図である。
【図８Ａ】非ローミングの場合の、Ｓ２ｂを使用するＥ−ＵＴＲＡＮネットワークから非トラステッド非３ＧＰＰ  ＩＰアクセスへのハンドオーバーに対する、提案される拡張を示す図である。
【図８Ｂ】非ローミングの場合の、Ｓ２ｂを使用するＥ−ＵＴＲＡＮネットワークから非トラステッド非３ＧＰＰ  ＩＰアクセスへのハンドオーバーに対する、提案される拡張を示す図である。
【図９Ａ】Ｓ２ｃを使用する非ローミングシナリオでの、Ｅ−ＵＴＲＡＮからＰＭＩＰｖ６を使用する非トラステッド非３ＧＰＰ  ＩＰアクセスへのハンドオーバーに対する、提案される拡張を示す図である。
【図９Ｂ】Ｓ２ｃを使用する非ローミングシナリオでの、Ｅ−ＵＴＲＡＮからＰＭＩＰｖ６を使用する非トラステッド非３ＧＰＰ  ＩＰアクセスへのハンドオーバーに対する、提案される拡張を示す図である。
【図１０】ワイヤレス送信／受信ユニット（ＷＴＲＵ）のブロック図である。
【発明を実施するための形態】
【００２７】
以下では、「ワイヤレス送信／受信ユニッ        ト（ＷＴＲＵ）」という用語は、限定はしないが、ユーザ装置（（ＵＥ）、移動局、固定または移動サブスクライバユニット、ページャ、携帯電話、携帯情報端末（ＰＤＡ）、コンピュータ、またはワイヤレス環境で動作することのできる他の任意のタイプのユーザ装置を含む。以下では、「基地局」という用語は、限定はしないが、Ｎｏｄｅ−Ｂ、サイトコントローラ、アクセスポイント（ＡＰ）、またはワイヤレス環境で動作することのできる他の任意のタイプのインターフェース装置を含む。
【００２８】
ＷＴＲＵの単純化した図が図１０に示されている。ＷＴＲＵ１０３は、ワイヤレス信号を送信及び受信するアンテナ１００１からなる。プロセッサ１００３は、ＷＴＲＵの他の構成要素を制御する。メモリ１００５は、データ、例えばプロセッサ１００３によって実行することのできる命令を格納する。トランシーバ１００７は、アンテナ１００１を通じてデータを送信する。
【００２９】
図６Ａ及び６Ｂには、Ｓ２ｂインターフェースを介する、ＰＭＩＰｖ６を使用する非トラステッド非３ＧＰＰ  ＩＰアクセスからＥ−ＵＴＲＡＮ  ３ＧＰＰネットワークへの拡張ハンドオーバープロセス６００を示す図が示されている。この拡張は、図２に記載のハンドオーバーに対して追加される。ＷＴＲＵ２０１は当初、非トラステッド非３ＧＰＰアクセスに接続される。ＷＴＲＵ２０１とｅＰＤＧ２０５との間にＩＰｓｅｃトンネル２０３があり、ｅＰＤＧとＰＤＮ  ＧＷ２０９との間にＰＭＩＰｖ６トンネル２０７がある。ＷＴＲＵ２０１が移動するとき、ＷＴＲＵ２０１は、非トラステッド非３ＧＰＰ  ＩＰアクセスからＥ−ＵＴＲＡＮなどの３ＧＰＰアーキテクチャに移動することができる。ＷＴＲＵ２０１は、Ｅ−ＵＴＲＡＮネットワーク２１１に接続される。次に、ＷＴＲＵ２０１は、ＭＭＥ２１３と共にアクセス許可を実施する。ＭＭＥ２１３は、ＷＴＲＵ２０１の認証を求めてＨＳＳ２１５と連絡を取る。認証手続きの一部として、使用されるＰＤＮ  ＧＷ２０９がＭＭＥ２１３に搬送される。ＭＭＥ２１３は、位置更新手続き及びＨＳＳ２１５からの加入者データ検索２１４を実施する。ＭＭＥ２１３がＷＴＲＵ２０１を認証した後、ＭＭＥ２１３は作成デフォルトベアラ要求メッセージ２１７をサービス提供ＧＷ２１９に送信する。メッセージ２１７では、ＭＭＥ２１３は、ＷＴＲＵ２０１のＮＡＩと、使用されるＰＤＮ  ＧＷ２０９とを含む。サービス提供ＧＷ２１９はプロキシＢＵメッセージ２２１をＰＤＮ  ＧＷ２０９に送信し、ＷＴＲＵ２０１に対するデフォルトベアラをセットアップする。プロキシＢＵ２２１は、ＷＴＲＵ２０１の識別子と、ＰＤＮ  ＧＷ２０９にＩＰアドレスを求める要求とを含む。ＰＤＮ  ＧＷ２０９は、サービス提供ＧＷ２１９からのプロキシＢＵメッセージ２２１を処理し、ＷＴＲＵ２０１に関するバインディングキャッシュエントリを更新し、プロキシバインディング肯定応答２２３で応答する。プロキシバインディング肯定応答２２３では、ＰＤＮ  ＧＷ２０９は先にＷＴＲＵ２０１に割り当てられたのと同じＩＰアドレスまたはプレフィックスで応答する。その時点で、ＰＤＮ  ＧＷ２０９とサービス提供ＧＷ２１９との間にＰＭＩＰｖ６トンネル２２５が存在する。
【００３０】
ポリシー更新メッセージ６０１が、ＰＤＮ  ＧＷ２０９からＰＣＲＦ６１３に送信される。ＰＣＲＦ６１３は、ＰＤＮ  ＧＷ２０９にポリシー更新確認メッセージ６０３を送信する。サービス提供ＧＷ２１９は、作成デフォルトベアラ応答メッセージ２１７でＭＭＥ２１３に応答する。このメッセージ２１７では、サービス提供ＧＷ２１９はＷＴＲＵ２０１のＩＰアドレスを含む。ＰＣＲＦ６１３は、サービス提供ＧＷ２１９にポリシー情報更新メッセージ６０５を送信する。ＰＤＮ  ＧＷ２０９はｅＰＤＧ２０５にメッセージを送信し、トンネルエンドポイント及び無線資源を解放する（６０７）。ｅＰＤＧ２０５は、解放肯定応答メッセージ６０９で応答する。無線ベアラセットアップ２２８を含むＳ１＿Ｕデフォルトベアラ設立手続き２２７が実施される。サービス提供ＧＷ２１９は、ＰＣＲＦ６１３にポリシー更新確認メッセージ６１１を送信する。ハンドオーバー手続き２００の終わりに、Ｅ−ＵＴＲＡＮ無線ベアラ２２７、Ｎｏｄｅ−Ｂとサービス提供ＧＷ２１９との間のＳ１ベアラ、並びに、サービス提供ＧＷ２１９とＰＤＮ  ＧＷ２０９との間のＰＭＩＰｖ６トンネル２２９からなる、ＷＴＲＵ２０１に対するデフォルトベアラが存在する。
【００３１】
図７Ａ及び７Ｂは、Ｓ２ｃインターフェースを介する、ＰＭＩＰｖ６を使用する非トラステッド非３ＧＰＰ  ＩＰアクセスからＥ−ＵＴＲＡＮ  ３ＧＰＰネットワークへの拡張ハンドオーバープロセスを示す。拡張が、図３に記載のハンドオーバー動作に対して追加される。セッションは、Ｓ２ｃインターフェースを介する、ＤＳＭＩＰｖ６を使用する非トラステッド非３ＧＰＰアクセス３０１で始まる。セッションは、３ＧＰＰアクセス、例えばＥ−ＵＴＲＡＮ３０３にハンドオーバーする。ＷＴＲＵ３０５は、非トラステッド非３ＧＰＰアクセスシステム３０１を使用する。ＷＴＲＵ３０５はｅＰＤＧ３０７との間でＩＰｓｅｃ／ＩＫＥｖ２セッションを有し、ＰＤＮ  ＧＷ３０９との間でＤＳＭＩＰｖ６セッションを有する。ＷＴＲＵ３０５は３ＧＰＰアクセスシステム３０３を発見し、現在使用しているトラステッド非３ＧＰＰ３０１アクセスシステムから、発見した３ＧＰＰアクセスシステム３０２にハンドオーバーすることを決定する。ＷＴＲＵ３０５は接続要求３１３を送信し、接続要求３１３は、３ＧＰＰアクセスシステム３０３により、図示されていない進化型パケットコア（ＥＰＣ）内のＭＭＥ３１１インスタンスにルーティングされる。ＭＭＥ３１１はＨＳＳ／３ＧＰＰ  ＡＡＡ３１５と連絡を取り、ＷＴＲＵ３０５を認証する。認証手続きの一部として、３ＧＰＰアクセスのために使用されるＰＤＮ  ＧＷ３０９のＩＰアドレスがＭＭＥ３１１に搬送される。認証に成功した後、ＭＭＥ３１１は、ＨＳＳ３１５と共に位置更新手続きを実施する。ＭＭＥ３１１はサービス提供ＧＷ３１７を選択し、選択されたＰＤＮ  ＧＷ３０９に作成デフォルトベアラ要求メッセージ３１９を送信する。サービス提供ＧＷ３１７は、ＰＤＮ  ＧＷ３０９とサービス提供ＧＷ３１７との間でＩｎｔｅｒｎｅｔ  Ｅｎｇｉｎｅｅｒｉｎｇ  Ｔａｓｋ  Ｆｏｒｃｅ（ＩＥＴＦ）ベースのＳ５インターフェースを使用するときなどに、プロキシバインディング更新３２１を送信することにより、ＰＤＮ  ＧＷ３０９に対してＰＭＩＰｖ６登録手続きを開始することができる。ＧＰＲＳトンネリングプロトコル（ＧＴＰ）がＳ５に関して使用される場合、サービス提供ＧＷ３１７は、作成ベアラ要求メッセージ３１９をＰＤＮ  ＧＷ３０９に送信する。ＩＥＴＦベースのＳ５では、ＰＤＮ  ＧＷ３０９はプロキシバインディング肯定応答２２７で応答し、そのモビリティバインディングを更新し、それによって実質的に、ＤＳＭＩＰｖ６トンネルが、非３ＧＰＰアクセスネットワークから、サービス提供ＧＷ３１７に対するＰＭＩＰｖ６トンネルに切り替わる。プロキシバインディング肯定応答３２７では、ＰＤＮ  ＧＷ３０９は先にＷＴＲＵ３０５に割り当てられたホームＩＰアドレスまたはプレフィックスを含む。ＧＴＰベースのＳ５では、ＰＤＮ  ＧＷ３０９は、サービス提供ＧＷ３１７に対して作成ベアラ応答メッセージ３２９で応答する。作成ベアラ応答３２９は、先にＷＴＲＵ３０５に割り当てられたホームＩＰアドレスまたはプレフィックスを含む。この時点で、サービス提供ＧＷ３１７とＰＤＮ  ＧＷ３０９との間にＰＭＩＰｖ６／ＧＴＰトンネルが存在する。
【００３２】
ＰＤＮ  ＧＷ３０９は、ＰＣＲＦ７０１にポリシー更新メッセージ７０３を送信する。ＰＣＲＦは、ポリシー更新確認メッセージ７０５で応答する。次いで、サービス提供ＧＷ３１７はＷＴＲＵ３０５のＩＰアドレスを含む作成デフォルトベアラ応答メッセージ３２９をＭＭＥ３１１に返し、ＰＣＲＦ７０１からポリシー情報更新７０７を受信する。このメッセージ３２９はまた、バインディングが成功したという、ＭＭＥ３１１に対する表示としても働く。ｅＰＤＧ３０７は、非３ＧＰＰ  ＩＰアクセス３０１にメッセージを送信し、資源７０９を解放する。解放肯定応答メッセージ７１１がｅＰＤＧ３０７に返される。ＭＭＥ３１１は、３ＧＰＰアクセス３０３を通じて、ＷＴＲＵ３０５に接続受諾メッセージ３３１を送信する。３ＧＰＰアクセスシステム３０３は、無線ベアラセットアップ手続きを開始し、３ＧＰＰアクセスシステムは、接続完了メッセージ３３１で応答する。ＷＴＲＵ３０５はＰＤＮ  ＧＷ３０９にバインディング更新３２１を送信して、ＷＴＲＵ３０５が非トラステッド非３ＧＰＰ  ＩＰアクセス３０１内に在った間に作成されたそのＤＳＭＩＰｖ６バインディング３２５を登録解除することができる。ＷＴＲＵ３０５は、必要ならＩＫＥｖ２メッセージを送信して、ｅＰＤＧ３０７との間のそのシステム側面(SA; system aspect)を解体することができる。
【００３３】
図４に示した、Ｓ２ｂインターフェースを介する３ＧＰＰネットワークから非トラステッド非３ＧＰＰネットワークへの拡張ハンドオーバー手続きが、図８Ａ及び８Ｂに示されている。ハンドオーバーが開始されるとき、ＷＴＲＵ４０１が、サービス提供ＧＷ４０３を通じ、ＰＤＮ  ＧＷ４０７に対するＰＭＩＰｖ６トンネル４０５を介して、３ＧＰＰネットワークに接続される。ＷＴＲＵは、非３ＧＰＰネットワーク４１１に接続される。ＷＴＲＵ４０１の認証が、３ＧＰＰシステム上のＨＳＳ／ＡＡＡ４０９によって実施される。次いで、ＷＴＲＵ４０１とｅＰＤＧ４１３との間のＩＫＥｖ２許可及びトンネルセットアップ４１５が確立される。プロキシバインディング更新メッセージ４１７がＰＤＮ  ＧＷ４０７に送信される。プロキシバインディング肯定応答メッセージ４１９がｅＰＤＧ４１３に返される。ＰＤＮ  ＧＷ４０７がＰＣＲＦ８０１にポリシー更新メッセージ８０３を送信する。ＰＣＲＦ８０１は、ポリシー更新確認メッセージ８０５で応答する。ポリシー情報更新メッセージ８０７がＰＣＲＦ８０１からｅＰＤＧ４１３に送信され、ｅＰＤＧ４１３はポリシー更新肯定応答メッセージ８０９を返す。ＩＰｓｅｃトンネルセットアップ及びアドレス構成が実施され（４２１）、ＰＭＩＰｖ６トンネル４２３がｅＰＤＧ４１３とＰＤＮ  ＧＷ４０７との間で確立される。ＭＭＥ８２５が、無線アクセスベアラ（ＲＡＢ）８１５を解放するというメッセージを３ＧＰＰアクセスネットワーク（図８ＢにおけるＥ−ＵＴＲＡＮ）８２３に送信する。次いで、３ＧＰＰネットワーク８２３は、ＲＡＢ解放を確認する（８１７）。ＭＭＥ８２５は、ＲＡＢ及びＧＴＰ資源８１３をサービス提供ＧＷ４０３から受け取ったメッセージに基づいて解放する。サービス提供ＧＷは、確認メッセージ８１９で応答する。ＰＤＮ  ＧＷ４０７とサービス提供ＧＷ４０３との間のトンネルエンドポイント及び無線資源が解放される（８１１）。このとき、ＷＴＲＵ４０１とｅＰＤＧ４１３との間のＩＰｓｅｃトンネル４２５、並びに、ｅＰＤＧ４１３とＰＤＮ  ＧＷ４０７との間のＰＭＩＰｖ６トンネル４２７を通じて、非３ＧＰＰ  ＩＰアクセスが確立される。
【００３４】
Ｓ２ｃインターフェースを介する、３ＧＰＰ  ＩＰアクセスからトラステッド／非トラステッド非３ＧＰＰ  ＩＰアクセスへの拡張ハンドオーバープロセス９００が、図９Ａ及び９Ｂに示されている。ハンドオーバーが開始されるとき、ＷＴＲＵ５０１が、サービス提供ＧＷ５０３を通じ、ＰＤＮ  ＧＷ５０７に対するＰＭＩＰｖ６トンネル５０５を通じて、３ＧＰＰネットワークに接続される。ＷＴＲＵは、非３ＧＰＰネットワーク５１１に接続される。ＷＴＲＵ５０１の認証が、３ＧＰＰシステム上のＨＳＳ／ＡＡＡ５０９によって行われる。非３ＧＰＰネットワークが非トラステッドであるとき、ＷＴＲＵ５０１とｅＰＤＧ５１３との間のＩＫＥｖ２許可及びトンネルセットアップ５１５。あるいは、非３ＧＰＰネットワークがトラステッドネットワークであるとき、ＷＴＲＵ５０１とＰＤＮ  ＧＷ５０７との間でＩＫＥｖ２許可及びトンネルセットアップ５１６を行うこともできる。プロキシバインディング更新メッセージ５１７がＰＤＮ  ＧＷ５０７に送信される。プロキシバインディング肯定応答メッセージ５１７がｅＰＤＧ５１３に返される。ＩＰｓｅｃトンネルセットアップ及びアドレス構成が実施され（５２１）、ＰＭＩＰｖ６トンネル５２７が、ＷＴＲＵ４０１とＰＤＮ  ＧＷ４０７との間で確立される。このとき、ＷＴＲＵ５０１とｅＰＤＧ５１３との間のＩＰｓｅｃトンネル５２５、並びに、ＷＴＲＵ５０１とＰＤＮ  ＧＷ５０７との間のＰＭＩＰｖ６トンネル５２７を通じて、非３ＧＰＰ  ＩＰアクセスが確立される。次いで、ＰＤＮ  ＧＷ５０７は、ＰＣＲＦ９０１にポリシー更新メッセージ９０３を送信する。ＰＣＲＦ９０１は、ＰＤＮ  ＧＷ５０７にポリシー更新確認メッセージ９０５を返す。ＰＣＲＦ９０１はｅＰＤＧ５１３にポリシー情報更新メッセージ９０７を送信し、ｅＰＤＧ５１３は確認メッセージ９０９で応答する。次いで、ＰＤＮ  ＧＷ５０７は、ＧＴＰ及びＲＡＢ資源を解放するというメッセージ９１１をサービス提供ＧＷ５０３に送信する。サービス提供ＧＷ５０３は、ＧＴＰ及びＲＡＢ解放肯定応答メッセージ９１３で応答する。次いで、サービス提供ＧＷはＭＭＥ９２３にＧＴＰ及びＲＡＢ解放メッセージ９１５を送信し、ＭＭＥ９２３はサービス提供ＧＷ５０３に肯定応答９１７を送信する。次いで、ＭＭＥ９２３はＥ−ＵＴＲＡＮネットワークにＲＡＢ解放９１９を送信し、ＲＡＢ解放９１９が肯定応答メッセージ９２１によって確認される。このとき、ＧＴＰトンネル及びＲＡＢ資源が解放され、ＷＴＲＵ５０１がＩＰｓｅｃトンネル５２５及びＤＳＭＩＰｖ６トンネル５２７を通じて接続される。
【００３５】
本発明の機能及び要素を、特定の組合せの好ましい実施形態で説明したが、各機能または要素を好ましい実施形態の他の機能及び要素なしに単独で使用することができ、または本発明の他の機能及び要素を伴う若しくは伴わない様々な組合せで使用することができる。本発明で与えた方法または流れ図は、汎用コンピュータまたはプロセッサによって実行されるコンピュータ可読記憶媒体内に有形に実施されたコンピュータプログラム、ソフトウェア、またはファームウェアとして実装することができる。コンピュータ可読記憶媒体の例は、読み出し専用メモリ（ＲＯＭ）、ランダムアクセスメモリ（ＲＡＭ）、レジスタ、キャッシュメモリ、半導体メモリ装置、内蔵ハードディスクや着脱可能ディスクなどの磁気媒体、光磁気媒体、及び、ＣＤ−ＲＯＭディスクやデジタルバーサタイルディスク（ＤＶＤ）などの光媒体を含む。
【００３６】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／または状態マシンを含む。
【００３７】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用される無線周波数トランシーバを実装することができる。ＷＴＲＵは、カメラ、ビデオカメラモジュール、ビデオフォン、スピーカフォン、バイブレーション装置、スピーカ、マイクロフォン、テレビジョン送受信機、ハンズフリーヘッドセット、キーボード、Ｂｌｕｅｔｏｏｔｈ（登録商標）モジュール、周波数変調（ＦＭ）無線装置、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または、任意の無線ＬＡＮ（ＷＬＡＮ）モジュールなどのハードウェアおよび／またはソフトウェアで実装されたモジュールと共に使用することができる。
【００３８】
実施形態
１．第１ネットワークアーキテクチャから第２ネットワークアーキテクチャへのハンドオーバー手続きを実施するプロセッサを備える、異なる２つのワイヤレス通信ネットワークアーキテクチャ間でハンドオーバー動作を実施するように構成されたワイヤレス送信／受信ユニット（ＷＴＲＵ）。
【００３９】
２．上記ＷＴＲＵと上記第２ネットワークアーキテクチャとの間のワイヤレス接続を通じて、上記第２ネットワークアーキテクチャへのネットワークアクセスを確立するように構成されたトランシーバをさらに備える実施形態１のＷＴＲＵ。
【００４０】
３．上記プロセッサがさらに、上記ＷＴＲＵと上記第１ネットワークアーキテクチャとの間のネットワーク接続で使用されるトンネルエンドポイント及び無線資源を解放するように構成される実施形態１〜２のいずれかのＷＴＲＵ。
【００４１】
４．上記ネットワークアーキテクチャのうちの１つが、ｔｈｉｒｄ  ｇｅｎｅｒａｔｉｏｎ  ｐａｒｔｎｅｒｓｈｉｐ  ｐｒｏｊｅｃｔ（３ＧＰＰ）ネットワークアーキテクチャである実施形態１〜３のいずれかのＷＴＲＵ。
【００４２】
５．上記ネットワークアーキテクチャのうちの１つが、ｎｏｎ−ｔｈｉｒｄ  ｇｅｎｅｒａｔｉｏｎ  ｐａｒｔｎｅｒｓｈｉｐ  ｐｒｏｊｅｃｔ（非３ＧＰＰ）ネットワークアーキテクチャである実施形態１〜４のいずれかのＷＴＲＵ。
【００４３】
６．上記非３ＧＰＰネットワークアーキテクチャがトラステッドネットワークである実施形態１〜５のいずれかのＷＴＲＵ。
【００４４】
７．上記非３ＧＰＰネットワークアーキテクチャが非トラステッドネットワークである実施形態１〜６のいずれかのＷＴＲＵ。
【００４５】
８．上記プロセッサが、Ｓ２ｂインターフェースを介してネットワーク接続を確立するように構成される実施形態１〜７のいずれかのＷＴＲＵ。
【００４６】
９．上記プロセッサが、Ｓ２ｃインターフェースを介してネットワーク接続を確立するように構成される実施形態１〜７のいずれかのＷＴＲＵ。
【００４７】
１０．上記ハンドオーバーが、ｔｈｉｒｄ  ｇｅｎｅｒａｔｉｏｎ  ｐａｒｔｎｅｒｓｈｉｐ  ｐｒｏｊｅｃｔ（３ＧＰＰ）ネットワークから非３ＧＰＰネットワークに対して行われる実施形態１〜９のいずれかのＷＴＲＵ。
【００４８】
１１．上記ハンドオーバーが、ｎｏｎ−ｔｈｉｒｄ  ｇｅｎｅｒａｔｉｏｎ  ｐａｒｔｎｅｒｓｈｉｐ  ｐｒｏｊｅｃｔ（非３ＧＰＰ）ネットワークから３ＧＰＰネットワークに対して行われる実施形態１〜９のいずれかのＷＴＲＵ。
【００４９】
１２．上記トランシーバがさらに、パケットデータネットワークゲートウェイに資源解放肯定応答メッセージを送信するように構成される実施形態１〜１１のいずれかのＷＴＲＵ。
【００５０】
１３．第１ネットワークアーキテクチャから第２ネットワークアーキテクチャへのハンドオーバー手続きを開始することを含む、異なる２つのワイヤレス通信ネットワークアーキテクチャ間のワイヤレス送信／受信ユニット（ＷＴＲＵ）のハンドオーバーの方法。
【００５１】
１４．上記ＷＴＲＵと上記第２ネットワークアーキテクチャとの間の接続を通じて、上記第２ネットワークアーキテクチャへのネットワークアクセスを確立することをさらに含む実施形態１３の方法。
【００５２】
１５．ポリシー及び課金レート機能（ＰＣＲＦ）にポリシー更新メッセージを送ることをさらに含む実施形態１３〜１４のいずれかの方法。
【００５３】
１６．上記ＷＴＲＵと上記第１ネットワークアーキテクチャとの間のネットワーク接続で使用されるトンネルエンドポイント及び無線資源を解放することをさらに含む実施形態１３〜１５のいずれかの方法。
【００５４】
１７．上記ネットワークアーキテクチャのうちの１つが、ｔｈｉｒｄ  ｇｅｎｅｒａｔｉｏｎ  ｐａｒｔｎｅｒｓｈｉｐ  ｐｒｏｊｅｃｔ（３ＧＰＰ）ネットワークアーキテクチャである実施形態１３〜１６のいずれかの方法。
【００５５】
１８．上記ネットワークアーキテクチャのうちの１つが、非３ＧＰＰネットワークアーキテクチャである実施形態１３〜１７のいずれかの方法。
【００５６】
１９．上記非３ＧＰＰネットワークアーキテクチャがトラステッドネットワークである実施形態１３〜１８のいずれかの方法。
【００５７】
２０．上記非３ＧＰＰネットワークアーキテクチャが非トラステッドネットワークである実施形態１３〜１８のいずれかの方法。
【００５８】
２１．上記非３ＧＰＰネットワークアーキテクチャとの間のネットワーク接続が、Ｓ２ｂインターフェースを介して確立される実施形態１３〜２０のいずれかの方法。
【００５９】
２２．上記非３ＧＰＰネットワークアーキテクチャとの間のネットワーク接続が、Ｓ２ｃインターフェースを介して確立される実施形態１３〜２０のいずれかの方法。
【００６０】
２３．上記ハンドオーバーが、ｔｈｉｒｄ  ｇｅｎｅｒａｔｉｏｎ  ｐａｒｔｎｅｒｓｈｉｐ  ｐｒｏｊｅｃｔ（３ＧＰＰ）ネットワークから非３ＧＰＰネットワークに対して行われる実施形態１３〜２２のいずれかの方法。
【００６１】
２４．上記ハンドオーバーが、ｎｏｎ−ｔｈｉｒｄ  ｇｅｎｅｒａｔｉｏｎ  ｐａｒｔｎｅｒｓｈｉｐ  ｐｒｏｊｅｃｔ（非３ＧＰＰ）ネットワークから３ＧＰＰネットワークに対して行われる実施形態１３〜２２のいずれかの方法。
【００６２】
２５．上記ＰＣＲＦからパケットデータネットワークゲートウェイにポリシー更新確認メッセージを送信することをさらに含む実施形態１３〜２４のいずれかの方法。
【００６３】
２６．パケットデータネットワークゲートウェイに資源解放肯定応答メッセージを送信することをさらに含む実施形態１３〜２５のいずれかの方法。
【００６４】
２７．上記ＰＣＲＦからサービス提供ゲートウェイにポリシー情報更新を送信することをさらに含む実施形態１３〜２６のいずれかの方法。
【符号の説明】
【００６５】
１０３  ＷＴＲＵ
１００１  アンテナ
１００３  プロセッサ
１００５  メモリ
１００７  トランシーバ
【図１】
2015181316.tif 000003
【図２】
2015181316.tif 000004
【図３Ａ】
2015181316.tif 000005
【図３Ｂ】
2015181316.tif 000006
【図４】
2015181316.tif 000007
【図５】
2015181316.tif 000008
【図６Ａ】
2015181316.tif 000009
【図６Ｂ】
2015181316.tif 000010
【図７Ａ】
2015181316.tif 000011
【図７Ｂ】
2015181316.tif 000012
【図８Ａ】
2015181316.tif 000013
【図８Ｂ】
2015181316.tif 000014
【図９Ａ】
2015181316.tif 000015
【図９Ｂ】
2015181316.tif 000016
【図１０】
2015181316.tif 000017
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
第３世代パートナーシッププロジェクト（３ＧＰＰ）アクセスネットワークから非３ＧＰＰアクセスネットワークへの無線送受信装置（ＷＴＲＵ）のハンドオーバー動作の間にポリシー更新を実行するように構成されたパケットデータネットワークゲートウェイ（ＰＤＮ  ＧＷ）であって、
プロキシ更新メッセージを、ポリシーおよび課金規則機能（ＰＣＲＦ）に送信するように構成された送受信機を備え、
前記送受信機は、ポリシー更新確認メッセージを、前記ＰＣＲＦから受信するようにさらに構成され、
前記送受信機は、
前記ポリシー更新確認メッセージを受信すると、前記３ＧＰＰアクセスネットワークにおいて前記ＰＤＮ  ＧＷによって利用された資源の解放を要求するメッセージを送信し、前記ＷＴＲＵは、前記ハンドオーバー動作の間に、前記３ＧＰＰアクセスネットワークからハンドオーバーされ、または、
前記ポリシー更新確認メッセージを受信すると、前記非３ＧＰＰアクセスネットワークにおいて前記ＰＤＮ  ＧＷによって利用された資源の解放を要求するメッセージを送信し、前記ＷＴＲＵは、前記ハンドオーバー動作の間に、前記非３ＧＰＰアクセスネットワークからハンドオーバーされる、ようにさらに構成され、
前記送受信機は、ハンドオーバーを示すプロキシバインディング更新メッセージを、進化型パケットデータゲートウェイ（ｅＰＤＧ）から受信するようにさらに構成され、ならびに、
前記送受信機は、前記プロキシバインディング更新メッセージを受信したことに応答して、前記ポリシー更新メッセージ前記ＰＣＲＦに送信するようにさらに構成される
ことを特徴とするＰＤＮ  ＧＷ。
【請求項２】
前記３ＧＰＰアクセスネットワークは、進化型地上無線アクセスネットワーク（Ｅ−ＵＴＲＡＮ）であることを特徴とする請求項１に記載のＰＤＮ  ＧＷ。
【請求項３】
プロキシバインディング肯定応答メッセージが、前記ｅＰＤＧとのＰＭＩＰｖ６トンネルを確立するために使用されることを特徴とする請求項１に記載のＰＤＮ  ＧＷ。